(57)【特許請求の範囲】
【請求項１】
第１の方向に突出する第１の接続部と、前記第１の方向と反対かつ異なる軸位置に突出する第２の接続部と、前記第１の接続部と前記第２の接続部に対して各々直角を成すと共に前記第１の接続部と前記第２の接続部を連結する連結部を備えた複数のバスバーと、前記複数のバスバーを収容するハウジングと、前記収容溝を覆うカバーと、を備えたコネクタであって、
前記ハウジングは、前記複数のバスバーの前記連結部のみを収容する収容溝と、前記第１の接続部と前記第２の接続部のいずれか一方が収容されるスペースを備え、
前記収容溝は前記ハウジングの対向する両側に形成されており、
前記複数のバスバーは前記ハウジング内の前記収容溝に沿って互いに立体的に交差して前記複数のバスバーの前記第１の接続部の並び順と前記複数のバスバーの前記第２の接続部の並び順が異なっていることを特徴とするコネクタ。
【請求項２】
１つのインバータで２つの三相負荷を駆動するため前記インバータに直付けされるコネクタであって、６本の平坦で長尺状のバスバーと前記６本のバスバーを収容する幅狭で長尺状のスペースを有するハウジングと、前記薄型長尺状ハウジングの上部を塞ぐアッパーカバーと、前記薄型長尺状ハウジングの下部を塞ぐアンダーカバーとを備えたインバータ直付けコネクタにおいて、
前記各バスバーは、第１のバスバー端子と、前記第１のバスバー端子とは反対方向に延出する第２のバスバー端子と、前記第１のバスバー端子と前記第２のバスバー端子とを繋げる連結バスバーとを備えて成り、かつ前記連結バスバーは前記第１のバスバー端子から９０度曲折して所定長さの後同一平面上で９０度向きを変えて延出する直線部を備え、前記直線部の端部から前記同一平面上で前回とは逆向きに９０度向きを変えて所定長さの後 前回とは逆向きに曲折して前記第２のバスバー端子に繋がる形状をし、
前記幅狭で長尺状のスペースは前記ハウジング内に３か所あり、そのうち２か所は長尺方向に直角な断面内で互いに間隔をあけて平行に配置され、残りの１か所は前記２個のスペースの１個と同一平面上で下方に配置され、
前記各スペースに前記各連結バスバーを幅方向にクリアランスを持って収容することで、前記第１のバスバー端子および前記第２のバスバー端子のいずれも前記薄型長尺状ハウジング内で上下方向に移動できるようにしたことを特徴とするインバータ直付けコネクタ。
【請求項３】
前記６本のバスバーのうちＵ相とＷ相のバスバーの前記直線部を前記平行に配置された前記２つのスペースに収容し、Ｖ相のバスバーの前記直線部を前記３つめのスペースに収容したことを特徴とする請求項２記載のインバータ直付けコネクタ。
【発明の詳細な説明】
【技術分野】
【０００１】
本発明は、コネクタに関するもので、特に電気自動車の２台の三相交流モータを１台のインバータで駆動するためのインバータ直付けコネクタに関するものである。
【背景技術】
【０００２】
１台のインバータで２台のモータを駆動するインバータ直付けコネクタは従来より知られている（例えば特許文献１参照）。
【０００３】
〈直付けコネクタの役割〉
図８は直付けコネクタの役割を説明する図で、図８（Ａ）はコネクタ回りの回路図、図８（Ｂ）はコネクタ構造を示す斜視図である。
図８（Ａ）および（Ｂ）において、バッテリＢａの直流電圧はプラス線Ｐとマイナス線Ｎを介してインバータケース１００内のインバータＩＮＶに給電され、インバータＩＮＶでは直流電圧はＵ相・Ｖ相・Ｗ相の三相交流電圧に変換される。インバータＩＮＶで３相に変換されたＵ相電圧・Ｖ相電圧・Ｗ相電圧は各バスバーＵ端子、Ｖ端子、Ｗ端子にそれぞれ出力される。各バスバーＵ端子、Ｖ端子、Ｗ端子はモータＭ０１とモータＭ０２にそれぞれＵ相電圧・Ｖ相電圧・Ｗ相電圧を供給するために、それぞれ２つのバスバー端子に（バスバーＵ端子はバスバーＵ１端子とＵ２端子に、バスバーＶ端子はバスバーＶ１端子とＶ２端子に、バスバーＷ端子はバスバーＷ１端子とＷ２端子に）分岐しており、インバータケース１００のバスバーＵ１端子とＵ２端子からＵ相電圧が、バスバーＶ１端子とＶ２端子からＶ相電圧が、バスバーＷ１端子とＷ２端子からＷ相電圧がそれぞれ出力される。インバータケース１００に直付けされた直付けコネクタ２００では、インバータケース１００からのバスバーＵ１端子とＵ２端子、Ｖ１端子とＶ２端子、バスバーＷ１端子とＷ２端子を２つのバスバー端子グループ１（バスバーＵ１端子とＶ１端子とＷ１端子）およびグループ２（バスバーＵ２端子とＶ２端子とＷ２端子）に纏め、前者をコネクタ２０１、後者をコネクタ２０２から出力する。コネクタ２０１のバスバーＵ１端子とＶ１端子とＷ１端子からそれぞれ出力されたＵ相電圧・Ｖ相電圧・Ｗ相電圧はＵ１線、Ｖ１線、Ｗ１線を介してモータ側端子Ｔ１に入り、モータＭ０１の中で回転磁界を形成して、回転子を駆動する。
同じく、コネクタ２０２のバスバーＵ２端子とＶ２端子とＷ２端子からそれぞれ出力されたＵ相電圧・Ｖ相電圧・Ｗ相電圧はＵ２線、Ｖ２線、Ｗ２線を介してモータ側端子Ｔ２に入り、モータＭ０２の中で回転磁界を形成して、回転子を駆動する。
このように直付けコネクタ２００は、直付けコネクタ２００の入口にバスバーＵ１端子およびＵ２端子、Ｖ１端子およびＶ２端子、Ｗ１端子およびＷ２端子の順に並んで入った各端子を、バスバーを効率よく引き回すことにより、最終的にバスバーＵ１端子、Ｖ１端子、Ｗ１端子グループ、およびバスバーＵ２端子、Ｖ２端子、Ｗ２端子グループに配列し直してインバータケース１００の出口から出力する役割を行っている。
【先行技術文献】
【特許文献】
【０００４】
【特許文献１】特開２００６−８１３７３号公報
【０００５】
〈特許文献１記載の直付けコネクタ２００〉
図９は特許文献１記載の直付けコネクタ２００内のバスバーの構成を説明する図である。直付けコネクタ２００はインバータケース１００を配策する６つのバスバー端子Ｕ１、Ｕ２、Ｖ１、Ｖ２、Ｗ１、Ｗ２（以後、「Ｕ１〜Ｗ２」と言う）を有している。６本のバスバー端子Ｕ１〜Ｗ２の端子部は図の右から順に極相がＵ１、Ｕ２、Ｖ１、Ｖ２、Ｗ１、Ｗ２の順で並列に配置されている。
右端のバスバー端子Ｕ１の水平な端子部は上向きの短い垂直部分に連続し、水平な短い板部を介して上向きに略Ｌ字状に段付きに屈曲してい、右端の垂直端子となる。
右から２番目のバスバー端子Ｕ２は水平部分を経て下向きに短く垂直に屈曲し、左側に略クランク状に長く延長され、左端が上向きの垂直となって、水平な短い板部を介して略Ｌ字状に段付きに屈曲して、左から２番目の垂直端子となる。
右から３番目のバスバー端子Ｖ１は水平部分から上向きの短い垂直部となり、水平な短い板部を介して略Ｌ字状に段付きに屈曲して右から３番目の垂直端子となる。
右から４番目のバスバー端子Ｖ２は水平部分から上向きの短い垂直部分に続き、水平な短い板部を介して略Ｌ字状に段付きに屈曲して右から４番目の垂直端子となる。
右から３番目と４番目のバスバー端子Ｖ１、Ｖ２は左右対称に形成されている。
右から５番目のバスバー端子Ｗ１は水平部分を経て下向きにやや長く垂直に屈曲し、右側に略クランク状に長く延長され、その右端が上向きの垂直部となり、水平な短い板部を介して略Ｌ字状に段付きに屈曲して右から２番目の垂直端子となる。
右から６番目（左端）のバスバー端子Ｗ２は水平部分を経て上向きの短い垂直部分から水平な短い板部を介して上向きに略Ｌ字状に段付きに屈曲して左端の垂直端子となる。
以上のように、直付けコネクタ２００のバスバー組立体が構成される。
【０００６】
このバスバー組立体は、図１０のように、６つのバスバー端子Ｕ１、Ｕ２、Ｖ１、Ｖ２、Ｗ１、Ｗ２のうち、下方の左半分の３つのバスバー端子Ｕ１、Ｕ２、Ｖ１は一つの横長な絶縁ブロックで固定され、下方の右半分の３つのバスバー端子Ｖ２、Ｗ１、Ｗ２は一つの横長な絶縁ブロックで固定され、二つの絶縁ブロックは一つの横長のシールドシェル内に並列に配置される。
また、上方の左半分の３つのバスバー端子Ｕ１、Ｖ１、Ｗ１は一方のハウジング２０１のコネクタ嵌合室内に配置され、右半分の３つのバスバー端子Ｕ２、Ｖ２、Ｗ２は他方のハウジング２０２のコネクタ嵌合室内に配置される。コネクタ２０１、２０２の６本の電線は一まとめに結束されてモータＭ０１、Ｍ０２（図８）側のコネクタＴ１、Ｔ２に続いている。
【０００７】
〈特許文献１記載の直付けコネクタ２００の長所〉
特許文献１記載の直付けコネクタ２００によれば、インバータのコンパクト化を図ることができ、しかもインバータとの接続を容易に効率良く確実に行うことができる。
【０００８】
〈特許文献１記載の直付けコネクタ２００の問題点〉
直付けコネクタのバスバー端子を絶縁樹脂部と一体モールドした場合、各単品でのバスバー端子の寸法関係または製造上の問題によってはバスバー端子Ｕ１・Ｖ１・Ｗ１、バスバー端子Ｕ２・Ｖ２・Ｗ２や、バスバー端子Ｕ１・Ｕ２、バスバー端子Ｖ１・Ｖ２、バスバー端子Ｗ１・Ｗ２の各アライメント（水平性）が出ない可能性が生じる。
さらには、直付けコネクタのバスバー端子のアライメントが出ていても、相手方コネクタ２０１、２０２の方のアライメントが出ない可能性も考えられる。
このようにアライメントが出ていない状況で、特許文献１記載の直付けコネクタ２００を相手方コネクタ２０１、２０２を締結したとき、直付けコネクタ２００の締結部に負荷がかかり、ボルト締結などの場合ボルトが緩むなどの悪影響が懸念される。
【発明の概要】
【発明が解決しようとする課題】
【０００９】
本発明はこれらの問題点を解決するためになされたもので、直付けコネクタのバスバー端子群の各アライメントが出ない場合にも、相手方コネクタを締結したとき、直付けコネクタの締結部に負荷がかからないようにした直付けコネクタを提供することを目的としている。
【課題を解決するための手段】
【００１０】
前記課題を解決し目的を達成するために、本願発明（１）は、コネクタに係り、第１の方向に突出する第１の接続部と、前記第１の方向と反対かつ異なる軸位置に突出する第２の接続部と、前記第１の接続部と前記第２の接続部に対して各々直角を成すと共に前記第１の接続部と前記第２の接続部を連結する連結部を備えた複数のバスバーと、前記複数のバスバーを収容するハウジングと、前記収容溝を覆うカバーと、を備えたコネクタであって、前記ハウジングは、前記複数のバスバーの前記連結部のみを収容する収容溝と、前記第１の接続部と前記第２の接続部のいずれか一方が収容されるスペースを備え、
前記収容溝は前記ハウジングの対向する両側に形成されており、
前記複数のバスバーは前記ハウジング内の前記収容溝に沿って互いに立体的に交差して前記複数のバスバーの前記第１の接続部の並び順と前記複数のバスバーの前記第２の接続部の並び順が異なっていることを特徴としている。
発明（２）は、１つのインバータで２つの三相負荷を駆動するため前記インバータに直付けされるコネクタであって、６本の平坦で長尺状のバスバーと前記６本のバスバーを収容する幅狭で長尺状のスペースを有するハウジングと、前記薄型長尺状ハウジングの上部を塞ぐアッパーカバーと、前記薄型長尺状ハウジングの下部を塞ぐアンダーカバーとを備えたインバータ直付けコネクタにおいて、前記各バスバーが、第１のバスバー端子と、前記第１のバスバー端子とは反対方向に延出する第２のバスバー端子と、前記第１のバスバー端子と前記第２のバスバー端子とを繋げる連結バスバーとを備えて成り、かつ前記連結バスバーは前記第１のバスバー端子から９０度曲折して所定長さの後同一平面上で９０度向きを変えて延出する直線部を備え、前記直線部の端部から前記同一平面上で前回とは逆向きに９０度向きを変えて所定長さの後前回とは逆向きに曲折して前記第２のバスバー端子に繋がる形状をし、前記幅狭で長尺状のスペースは前記ハウジング内に３か所あり、そのうち２か所は長尺方向に直角な断面内で互いに間隔をあけて平行に配置され、残りの１か所は前記２個のスペースの１個と同一平面上で下方に配置され、前記各スペースに前記各連結バスバーを幅方向にクリアランスを持って収容することで、前記第１のバスバー端子および前記第２のバスバー端子のいずれも前記薄型長尺状ハウジング内で上下方向に移動できるようにしたことを特徴としている。
発明（３）は、発明（２）において、前記６本のバスバーのうちＵ相とＷ相のバスバーの前記直線部を前記平行に配置された前記２つのスペースに収容し、Ｖ相のバスバーの前記直線部を前記３つめのスペースに収容したことを特徴としている。
【発明の効果】
【００１１】
発明（１）によれば、バスバーをインサート成形する必要がなく、また、連結部の面に沿った溝に挿入するので、連結部を両側から挟み込む分割ハウジングの構造に対して端子に位置決めがし易い。
また、インサート時にバスバー同士の絶縁距離を確保するための治具が不要であり、また、連結部を両側から挟み込む分割ハウジングの構造に対しては立体交差する場合にはその中間に更に絶縁部材が必要であるのに対し、本発明ではそれが不要となる。
さらに、バスバーの本数が増えて複雑に交差する際にもハウジングの両端からバスバーを挿入することで連結部の面方向および幅方向に絶縁を確保することができ、また、連結部を両側から挟み込む分割ハウジングの構造に対しては立体交差する場合にはその中間に更に絶縁部材が必要であるのに対し、本発明ではそれが不要となる。
発明（２）によれば、直付けコネクタのバスバー端子群の各アライメントが出ない場合にも、相手方コネクタを締結したとき、バスバー端子がハウジング内で上下方向に移動できるようになるので、設計誤差をバスバー端子が吸収するため、直付けコネクタの締結部に負荷がかからないようになる。
発明（３）によれば、各バスバーを薄型長尺状のハウジング内に効率よく配置することができるようになる。
【図面の簡単な説明】
【００１２】
【図１】図１は本発明に係るインバータ直付けコネクタの分解斜視図である。
【図２】図２は本発明に係る６本のバスバーだけの組み付け状態を示す斜視図である。
【図３】図３は図２の６本のバスバーをハウジングに収容した状態を示す斜視図である。
【図４】図４はバスバーＡ端子群とバスバーＢ端子群をハウジングに挿入する直前の状態を示す斜視図である。
【図５】図５は図４バスバーＡ端子群とバスバーＢ端子群をハウジングに挿入した直後で、アウターカバーとロウアーカバーを覆う直前の状態を示す斜視図である。
【図６】図６は図５のアウターカバーとロウアーカバーでハウジング覆った完成状態を示す斜視図で、（Ａ）は中央バスバー端子側、（Ｂ）は端部バスバー端子側からの斜視図である。
【図７】図７は図６の完成状態の直付けコネクタの縦断面図である。
【図８】図８は直付けコネクタの役割を説明する図で、図８（Ａ）はコネクタ回りの回路図、図８（Ｂ）はコネクタ構造を示す斜視図である。
【図９】図９は特許文献１記載の直付けコネクタ２００内のバスバーの構成を説明する図である。
【図１０】図１０は絶縁樹脂で一体モールドした特許文献１記載の直付けコネクタを示す斜視図である。
【発明を実施するための形態】
【００１３】
以下、バスバーをインサート成形する必要がなく、また、連結部を両側から挟み込む分割ハウジングの構造に対して端子に位置決めがし易いコネクタについて、具体的な直付けコネクタの実施例に基づいて、図１〜図７を用いて説明する。
【実施例１】
【００１４】
〈実施例１に係る直付けコネクタ〉
図１は本発明に係るインバータ直付けコネクタの分解斜視図である。図１において、右より、アッパーカバー３０、バスバーＡ端子群１０Ａ、ハウジング２０、バスバーＢ端子群１０Ｂ、アンダーカバー４０である。
以下、バスバー端子群１０、バスバーＡ端子群１０Ａ、バスバーＢ端子群１０Ｂ、ハウジング２０、アッパーカバー３０、アンダーカバー４０の順に説明する。
【００１５】
〈バスバー端子群１０〉
《構成》
図１〜図７において、バスバー端子群１０は、この実施例では、Ｕ相第１端子Ｕ１とＵ相第２端子Ｕ２、Ｖ相第１端子Ｖ１とＶ相第２端子Ｖ２、Ｗ相第１端子Ｗ１とＷ相第２端子Ｗ２の合計６本のバスバーから成っている。
このうち、Ｕ相第１端子Ｕ１とＵ相第２端子Ｕ２およびＷ相第１端子Ｗ１とＷ相第２端子Ｗ２とでバスバーＡ端子群１０Ａを構成し、Ｖ相第１端子Ｖ１とＶ相第２端子Ｖ２とでバスバーＢ端子群１０Ｂを構成している。
【００１６】
《Ｕ相第１端子Ｕ１の形状》
バスバー端子群１０について基本的な形状は共通しているので、まず、Ｕ相第１端子Ｕ１（バスバーＵ１端子）を一例として形状を説明する。
Ｕ相第１端子Ｕ１は、薄型長尺状のハウジング２０（図７）に組み付けた完成状態で、ハウジング２０の短軸の中心を通って長尺方向に延びる中心線近傍からハウジング面に対して垂直に延出する中央バスバー端子Ｕ１１（図２、図７）と、ハウジング２０の長尺縁辺からハウジング面の反対面に対して垂直に中央バスバー端子とは反対方向に延出する端部バスバー端子Ｕ１３（図２、図７）と、中央バスバー端子Ｕ１１と端部バスバー端子Ｕ１３とを繋げる連結バスバーＵ１２（図２）とを備えて成る。
さらに、連結バスバーＵ１２は、中央バスバー端子Ｕ１１の端部で９０度曲折する第１曲折部Ｂ１（図１）と、第１曲折部Ｂ１から真っすぐ延びる第１直線部Ｓ１（図１）と、第１直線部Ｓ１の端部でハウジング２０の長尺方向に９０度クランク状に向きを変える第１方向転換部Ｋ１（図１）と、第１方向転換部Ｋ１からハウジング２０の長尺方向に真っすぐ延びる第２直線部Ｓ２（図１）と、第２直線部Ｓ２の端部でハウジング２０の長尺方向から第１方向転換部Ｋ１とは逆向きに９０度クランク状に向きを変える第２方向転換部Ｋ２（図１）と、第２方向転換部Ｋ２から端部バスバー端子方向に真っすぐ延びる第３直線部Ｓ３（図１）と、第３直線部Ｓ３の端部で端部バスバー端子Ｕ１３に曲折して繋がる第２曲折部Ｂ２（図１）とで構成されている。
【００１７】
《その他の第１端子および第２端子の形状も同様》
すべての連結バスバー（Ｕ１２、Ｕ２２、Ｖ１２、Ｖ２２、Ｗ１２、Ｗ２２）は、Ｕ相第１端子Ｕ１の形状と原則同じで（長さおよび方向が異なるだけである。）、中央バスバー端子（Ｕ１１、Ｕ２１、Ｖ１１、Ｖ２１、Ｗ１１、Ｗ２１）の端部で９０度曲折する第１曲折部Ｂ１と、第１曲折部Ｂ１から真っすぐ延びる第１直線部Ｓ１と、第１直線部Ｓ１の端部でハウジング２０の長尺方向に９０度クランク状に向きを変える第１方向転換部Ｋ１と、第１方向転換部Ｋ１からハウジング２０の長尺方向に真っすぐ延びる第２直線部Ｓ２と、第２直線部Ｓ２の端部でハウジング２０の長尺方向から第１方向転換部Ｋ１とは逆向きに９０度クランク状に向きを変える第２方向転換部Ｋ２と、第２方向転換部Ｋ２から端部バスバー端子（Ｕ１３、Ｕ２３、Ｖ１３、Ｖ２３、Ｗ１３、Ｗ２３）方向に真っすぐ延びる第３直線部Ｓ３と、第３直線部Ｓ３の端部で端部バスバー端子に曲折して繋がる第２曲折部Ｂ２とで構成されている。
【００１８】
《バスバー端子群１０Ａと１０Ｂの違い》
バスバー端子群１０Ａとバスバー端子群１０Ｂが異なるのは、（１）第１曲折部Ｂ１の曲折方向と、（２）第３直線部Ｓ３の長さである。
バスバー端子群１０Ａの第１曲折部Ｂ１は、アッパーカバー３０側に曲折しているのに対して、バスバー端子群１０Ｂの第１曲折部Ｂ１は、アンダーカバー４０側に曲折している点である。
バスバー端子群１０Ａの第３直線部Ｓ３は、ハウジング２０に組み付けられた状態でハウジング２０の短軸方向の長さの半分以下であるのに対して、バスバー端子群１０Ｂの第３直線部Ｓ３はハウジング２０の短軸方向の長さである点である。
【００１９】
〈バスバー端子群１０Ａ〉
図１〜図７において、Ｕ相第１端子Ｕ１とＷ相第２端子Ｗ２はハウジング２０の長軸の中心を通って短尺方向に延びる中心線に対して、基本的に線対称形状となっている。
Ｕ相第２端子Ｕ２とＷ相第１端子Ｗ１もハウジング２０の長軸の中心を通って短尺方向に延びる中心線に対して基本的に線対称形状となっているが、配置のさい第２直線部Ｓ２同士がぶつかる位置にくるので、一方の第２直線部Ｓ２（図１ではＷ１２のＳ２）だけ上部に曲折して衝突を回避させる形状としている。  
Ｕ相の各第１・第２端子の中央バスバー端子（Ｕ１１、Ｕ２１およびＷ相の第１・第２端子の中央バスバー端子（Ｗ１１、Ｗ２１）は同一平面Ｍ１（図７）上に配置される（図２参照）。
Ｕ相の各第１・第２端子の端部バスバー端子（Ｕ１３、Ｕ２３）およびＷ相の第１・第２端子の端部バスバー端子（Ｗ１３、Ｗ２３）は同一平面Ｍ２（図７）上に配置される（図２参照）。
Ｕ相とＷ相の各第１・第２端子の連結バスバー（Ｕ１２、Ｕ２２、Ｗ１２、Ｗ２２）はＷ相第１端子Ｗ１２の第２直線部Ｓ２と第２方向転換部Ｋ２と第３直線部Ｓ３を除いてすべて同一平面Ｍ３上に配置され、Ｗ相第１端子連結バスバーＷ１２の第２直線部Ｓ２と第２方向転換部Ｋ２と第３直線部Ｓ３は同一平面Ｍ４（図７）上に配置される（図２参照）。
【００２０】
〈バスバーＢ端子群１０Ｂ〉
バスバーＢ端子群１０ＢはＶ相第１端子Ｖ１とＶ相第２端子Ｖ２とから成る。
図１において、Ｖ相第１端子Ｖ１とＶ相第２端子Ｖ２は、ハウジング２０の長軸の中心を通って短尺方向に延びる中心線に対して、線対称形状となっている。
Ｖ相の第１・第２端子の中央バスバー端子（Ｖ１１、Ｖ２１）は平面Ｍ１（図７）上に配置される（図２参照）。
Ｖ相の第１・第２端子の端部バスバー端子（Ｖ１３、Ｖ２３）は同一平面Ｍ２（図７）上に配置される（図２参照）。
Ｖ相の第１・第２端子の連結バスバー（Ｖ１２、Ｖ２２）は上記の平面Ｍ４（図７）上に配置される（図２参照）。
【００２１】
〈ハウジング２０〉
ハウジング２０は図１に示すように、薄型長尺状をした絶縁体で、一方の長尺面２０Ｂ（図４、図７）と反対側の長尺面２０Ｆ（図４、図７）とで挟まれる部位に次の３つの狭い細長いスペース２０Ｓ１、２０Ｓ２、２０Ｓ３（図７）が形成されている。
【００２２】
《ハウジング２０に形成される３つのスペース》
第１スペース２０Ｓ１は図７で連結バスバーＵ２２群が収容されている部位で、平面Ｍ３上に一直線に並ぶＵ相第１端子の連結バスバーＵ１２、Ｕ相第２端子の連結バスバーＵ２２、Ｗ相第１端子Ｗ１２の第１方向転換部Ｋ１、Ｗ相第２端子の連結バスバーＷ２２を収容する長尺方向の収容室である。各バスバー間の隙間は絶縁リブで仕切られている。
第２スペース２０Ｓ２は図７で連結バスバーＷ１２群が収容されている部位で、平面Ｍ４上のＷ相第１端子Ｗ１２の連結バスバーＷ１２および第２方向転換部Ｋ２を収容する長尺方向の収容室である。第１スペースと第２スペース間の隙間は絶縁リブで仕切られている。
第３スペース２０Ｓ３は図７で連結バスバーＶ１２群が収容されている部位で、平面Ｍ４上に一直線に並ぶＶ相第１端子Ｖ１の連結バスバーＶ１２とＶ相第２端子Ｖ２の連結バスバーＶ２２を収容する長尺方向の収容室とこの収容室の両端からさらに直角方向に方向転換するＶ相第１端子Ｖ１の連結バスバーＶ１２の第３直線部Ｓ３とＶ相第２端子Ｖ２の連結バスバーＶ２２の第３直線部Ｓ３を収容する短尺方向の収容室とからなる。第１スペースと第３スペース間の隙間、および第２スペースと第３スペース間の隙間は絶縁リブで仕切られている。
【００２３】
《連結バスバーを各スペースへ挿入》
この長尺面２０Ｂと長尺面２０Ｆとで挟まれる部位に３つの狭い細長いスペース２０Ｓ１、２０Ｓ２、２０Ｓ３に、Ｕ・Ｖ・Ｗ相のすべての連結バスバー（Ｕ１２、Ｖ１２、Ｗ１２、Ｕ２２、Ｖ２２、Ｗ２２）が図４に示す方向から挿入・収容される。
すなわち、Ｕ相およびＷ相の連結バスバー（Ｕ１２、Ｗ１２、Ｕ２２、Ｗ２２）は図４の矢印Ｆ１方向から挿入される。ただし、Ｕ相およびＷ相の連結バスバーのうち、３本の連結バスバー（Ｕ１２、Ｕ２２、Ｗ２２）は、図４のハウジングの下方のスペース（図７の第１スペース２０Ｓ１）に、そしてＷ相第１端子の連結バスバー（Ｗ１２）は、図４のハウジングの上方のスペース（図７の第２スペース２０Ｓ２）に挿入される。
また、Ｖ相の連結バスバー（Ｖ１２、Ｖ２２）は図４の矢印Ｆ２方向から図４のハウジングの上方のスペース（図７の第３スペース２０Ｓ３）に挿入される。ハウジング２０にはＶ相の連結バスバー（Ｖ１２、Ｖ２２）の第３直線部Ｓ３が収容されるスペース２０Ｍ２２、２０Ｍ２２が第３スペースの一部として設けられている。
スペースに収容された連結バスバーから延びる中央バスバー端子（Ｕ１１、Ｕ２１、Ｖ１１、Ｖ２１、Ｗ１１、Ｗ２１）はその長尺面２０Ｆ（図７）の下方から水平方向に露出し、また、スペースに収容された連結バスバーから反対側に延びる端部バスバー端子（Ｕ１３、Ｕ２３、Ｖ１３、Ｖ２３、Ｗ１３、Ｗ２３）はその長尺面２０Ｂ（図７）の上方から中央バスバー端子とは逆方向に水平に露出している。
図５はこのようにしてハウジング２０内に挿入され、支持された本発明に係る形状の６本のバスバーの状態を示している。
これにアッパーカバー３０とアンダーカバー４０が以下で述べるようにそれぞれハウジング２０の上方と下方に係止されれば、本発明に係る直付けコネクタ図６のように完成する。
【００２４】
《アッパーカバー３０とアンダーカバー４０用の係合突起》
ハウジング２０の外側にはアッパーカバー３０と係合する部位に係合突起２０Ｋ３〜２０Ｋ５を備え、アンダーカバー４０と係合する部位に係合突起２０Ｋ１、２０Ｋ２を備えている。  
【００２５】
〈アッパーカバー３０〉
アッパーカバー３０は絶縁体でできており、ハウジング２０の外側の係合突起２０Ｋ３〜２０Ｋ５と係合する部位に係合孔３０Ｋ３〜３０Ｋ５を備えている。アッパーカバー３０の係合孔３０Ｋ３〜３０Ｋ５にハウジング２０の係合突起２０Ｋ３〜２０Ｋ５を図６のように係止させることで、アッパーカバー３０はハウジング２０を覆い、連結バスバーＵ１２、Ｕ２２、Ｗ２２が第１スペース２０Ｓ１から、連結バスバーＷ１２が第２スペース２０Ｓ１から抜けなくなる。
【００２６】
〈アンダーカバー４０〉
アンダーカバー４０は絶縁体でできており、ハウジング２０の外側の係合突起２０Ｋ１、２０Ｋ２と係合する部位に係合孔４０Ｋ１、４０Ｋ２を備えている。アンダーカバー４０の係合孔４０Ｋ１、４０Ｋ２にハウジング２０の係合突起２０Ｋ１、２０Ｋ２を図６のように係止させることで、アンダーカバー４０はハウジング２０を覆い、連結バスバーＶ１２、Ｖ２２が第３スペース２０Ｓ３から抜けなくなる。
【００２７】
〈本発明の特徴〉
本発明によれば、図７で示すように、薄型長尺状をしたハウジング２０の横幅の狭いスペースにバスバーの厚み部分を挿入し、アッパーカバー３０で覆うことで内部に形成される収容空間がバスバーの横幅寸法よりクリアランスｔ３およびｔ４分だけ大きくして、このスペース内でバスバーが上下に移動できる構成としているのが特徴である。
同じく、アンダーカバー４０で形成される収容空間もバスバー寸法よりクリアランスを有するように大きくしている。
このように、形状に工夫をしたバスバーの厚み部分を薄型長尺状をしたハウジング２０の横幅の狭いスペースに挿入し、カバーをする際、スペース内でバスバーが上下に若干移動するクリアランスを形成しておくことで相手部品の寸法誤差を吸収できるので、相手部品の製造精度を高くする必要がなくなる。また、モールド部品に比べてバスバー単体の寸法精度を高くする必要がなくなり、部品が製造し易い。
【符号の説明】
【００２８】
１０  バスバー端子群
１０Ａ  バスバーＡ端子群
１０Ｂ  バスバーＢ端子群
２０  ハウジング
２０Ｂ  長尺面
２０Ｆ  長尺面
２０Ｓ１  第１スペース
２０Ｓ２  第２スペース
２０Ｓ３  第３スペース
２０Ｋ１〜２０Ｋ５  係合突起（ハウジング側）
３０  アッパーカバー
３０Ｋ３〜３０Ｋ５  係合孔（アッパーカバー側）
４０  アンダーカバー
４０Ｋ１〜４０Ｋ２  係合孔（ロウアーカバー側）
Ｕ  Ｕ相端子
Ｖ  Ｖ相端子
Ｗ  Ｗ相端子
Ｕ１  Ｕ相第１端子
Ｖ１  Ｖ相第１端子
Ｗ１  Ｗ相第１端子
Ｕ２  Ｕ相第２端子
Ｖ２  Ｖ相第２端子
Ｗ２  Ｗ相第２端子
Ｕ１１  Ｕ相第１端子の中央バスバー端子
Ｖ１１  Ｖ相第１端子の中央バスバー端子
Ｗ１１  Ｗ相第１端子の中央バスバー端子
Ｕ２１  Ｕ相第２端子の中央バスバー端子
Ｖ２１  Ｖ相第２端子の中央バスバー端子
Ｗ２１  Ｗ相第２端子の中央バスバー端子
Ｕ１２  Ｕ相第１端子の連結バスバー
Ｖ１２  Ｖ相第１端子の連結バスバー
Ｗ１２  Ｗ相第１端子の連結バスバー
Ｕ２２  Ｕ相第２端子の連結バスバー
Ｖ２２  Ｖ相第２端子の連結バスバー
Ｗ２２  Ｗ相第２端子の連結バスバー
Ｕ１３  Ｕ相第１端子の端部バスバー端子
Ｖ１３  Ｖ相第１端子の端部バスバー端子
Ｗ１３  Ｗ相第１端子の端部バスバー端子
Ｕ２３  Ｕ相第２端子の端部バスバー端子
Ｖ２３  Ｖ相第２端子の端部バスバー端子
Ｗ２３  Ｗ相第２端子の端部バスバー端子
Ｂ１  第１曲折部
Ｂ２  第２曲折部
Ｋ１  第１方向転換部
Ｋ２  第２方向転換部
Ｍ１〜Ｍ４  平面
Ｓ１  第１直線部
Ｓ２  第２直線部
Ｓ３  第３直線部
【図１】
0005756656.tif 000002
【図２】
0005756656.tif 000003
【図３】
0005756656.tif 000004
【図４】
0005756656.tif 000005
【図５】
0005756656.tif 000006
【図６】
0005756656.tif 000007
【図７】
0005756656.tif 000008
【図８】
0005756656.tif 000009
【図９】
0005756656.tif 000010
【図１０】
0005756656.tif 000011